(57)【要約】【課題】  従来、ノズル部の形態を利用して髪を容易に分け得る染毛用アプリケーター、又は櫛歯体を利用して髪を容易に分け得る櫛付きキャップ等があった。しかし、液体の垂れ問題、又は地肌の傷等に関する問題の解消には、必ずしも十分とは云えない。また本発明が意図する液体の垂れを阻害する要因の解消と、液のスムーズな流れを確保すること等に関し改良の余地が考えられる。【構成】本発明は、頭髪用化粧液体容器のキャップは、キャップ部と、筒状のノズル部と、緩衝部とで構成し、ノズル部の周面に、正面視して略涙形の透孔と、透孔の周辺に孔側に向かって低く傾斜した裾部を形成し、透孔及び/又は裾部の一部を緩衝部に設け、また透孔の少なくとも一方側に収斂形状の液体の垂れ部を設けた構成である。よって、液体を地肌・頭髪に確実に供給できる。【選択図】    図１
2005168641.tif 000002
【特許請求の範囲】
【請求項１】
頭髪用化粧液体容器のキャップは、前記容器の口部に被嵌されるキャップ部と、このキャップ部に設けた筒状のノズル部と、このノズル部に設けた緩衝部とで構成し、
このノズル部の周面に、正面視して略涙形の透孔と、この透孔の周辺に孔側に向かって低く傾斜した裾部を形成するとともに、この透孔及び/又は裾部の一部を前記緩衝部に設け、また前記透孔の少なくとも一方側に収斂形状の化粧液体の垂れ部を設けたことを特徴とする頭髪用化粧液体容器のキャップ。
【請求項２】
請求項1に記載した略涙形の透孔は、緩衝部側を正面視して収歛形状に、またキャップ側を正面視して略環状形状に形成し、また前記裾部は、正面視して略砲弾形状に形成するとともに、この略砲弾形状の裾部は、緩衝部側を正面視して収歛形状に、またキャップ側を正面視して略直線形状に形成したことを特徴とする頭髪用化粧液体容器のキャップ。
【請求項３】
請求項1に記載した緩衝部を、球体に形成したことを特徴とする頭髪用化粧液体容器のキャップ。
【発明の詳細な説明】
【技術分野】
【０００１】
本発明は、頭髪用（人体用、動物用等）化粧液体（染毛剤、シャンプー液、リンス液、他の液等の化粧品・薬品等の液体）容器のキャップに関する。
【背景技術】
【０００２】
周知の如く、例えば、頭髪等の髪（髪とする）の毛を染める際（染毛又は毛染めの際）において、ノズル部より容易に毛染め液、パーマ液（化粧液体）を注出（抽出、滴下）するとともに、地肌（頭肌等）を傷つけないことが要求される。また洗髪時に（髪に）シャンプー液及び／又はリンス液等を注出する際において、前述と同様なことが要求される。
【０００３】
そこで、これらに関する先行文献を列挙すると、下記の文献（1）、（2）が一例として挙げられるので、以下概要・作用効果を説明する。：  1.実開平6-65254号の染毛用アプリケーターがある（文献（1））。その概要は、液状の染毛剤を収容する容器体とキャップ体とからなり、このキャップ体には染毛剤を注出しかつ頭髪を分けるために使用することができる略円錐形状のノズル部を備えた染毛剤を頭髪に塗布するための染毛用アプリケーターにおいて、ノズル部の長さを、ノズル部の基部におけるノズル部最大径よりも大とし、かつ側面（周面）を軸方向に沿って凹状に湾曲させた構成である。その特徴は、髪の毛を染める際、ノズル部により髪を容易に分け得ることができこと、また染毛操作が非常に容易に行えることにある。：  2.特開2002-345542の櫛付きキャップがある（文献（2））。その概要は、スクイズ性を有する容器本体の口筒部に設ける組付き筒と、この組付き筒に設けた偏平な起立筒と、この起立筒に複数の櫛歯片を各列等間隔で２列配設した構成であり、この２列目の櫛歯片を順に互い違いに起立配設し、この各櫛歯片に頭髪の梳き方向に対し直角に注出孔を設けるとともに、この注出孔は注出路を経由して容器本体の内部に連通する構成である。その特徴は、各櫛歯片間における頭髪の保持性を向上させること、頭髪に対する内容液の塗布が十分にかつ効率良く行われること等にある。
【０００４】
【特許文献１】実開平6-65254号
【０００５】
【特許文献２】特開2002-345542
【発明の開示】
【発明が解決しようとする課題】
【０００６】
前記文献（1）は、ノズル部の形態を利用して髪を容易に分けることを意図する。従って、化粧液体（液体）の垂れ問題、又は地肌の傷等に関する問題の解消には、必ずしも十分とは云えない処である。また文献（2）は、櫛歯体を利用して髪を容易に分けること、又は染毛をスムーズかつ効率的に行うこと等を意図する。しかし、この発明においても、前述の文献（1）と同様な改良点を抱えている。
【０００７】
上記に鑑み、本発明は、確実な染毛又は洗髪（染毛操作又は洗髪操作）等の処理を図ること、この際に染毛液、又はシャンプー液等の容易かつ確実な注出を図ること、又は地肌及び／又は頭髪に傷をつけることなく、簡便に染毛等の処理ができること、或いは地肌に染毛液、又はシャンプー液等の液体の付着の程度を少なくすること、さらには髪を確実かつ簡易（スムーズ）に分けること、また染毛等の処理を確実かつ簡易にすること等を意図する。
【課題を解決するための手段】
【０００８】
請求項1の発明は、確実な染毛又は洗髪等の処理を図ること、この際に染毛液、又はシャンプー液等の容易かつ確実な注出を図ること、又は地肌及び／又は頭髪に傷をつけることなく、簡便に染毛等の処理をすること、或いは地肌及び／又は頭髪に染毛液、又はシャンプー液等の化粧液体の付着の程度を少なくすること、さらには地肌及び／又は髪をスムーズに分け、染毛等の処理を確実かつ簡易にすること等を意図する。また本発明は、液体の垂れ（液垂れ）の解消と、液のスムーズな流れを確保して、前述した各効果を達成すること等を意図する。
【０００９】
請求項1は、頭髪用化粧液体容器のキャップは、前記容器の口部に被嵌されるキャップ部と、このキャップ部に設けた筒状のノズル部と、このノズル部に設けた緩衝部とで構成し、
このノズル部の周面に、正面視して略涙形の透孔と、この透孔の周辺に孔側に向かって低く傾斜した裾部を形成するとともに、この透孔及び／又は裾部の一部を前記緩衝部に設け、また前記透孔の少なくとも一方側に収斂形状の液体の垂れ部を設けたことを特徴とする頭髪用化粧液体容器のキャップである。
【００１０】
請求項2の発明は、請求項1の目的を達成すること、又は液垂れを略完全に解消し、かつ液の極めてスムーズな流れを確保して、前述した請求項1に記載の各効果を達成することを意図する。
【００１１】
請求項2は、請求項1に記載した略涙形の透孔は、緩衝部側を正面視して収歛形状に、またキャップ側を正面視して略環状形状に形成し、また前記裾部は、正面視して略砲弾形状に形成するとともに、この略砲弾形状の裾部は、緩衝部側を正面視して収歛形状に、またキャップ側を正面視して略直線形状に形成したことを特徴とする頭髪用化粧液体容器のキャップである。
【００１２】
請求項3の発明は、請求項1の目的を達成すること、又は地肌に傷をつけることなく、極めて簡便に染毛等の処理をすること、或いは地肌に染毛液、又はシャンプー液等の液体の付着を略無くすこと、さらには髪を極めてスムーズに分け、染毛等の処理を確実かつ簡易にすること等を意図する。
【００１３】
請求項3は、請求項1に記載した緩衝部を、球体に形成したことを特徴とする頭髪用化粧液体容器のキャップである。
【発明の効果】
【００１４】
請求項1の発明は、頭髪用化粧液体容器のキャップは、容器の口部に被嵌されるキャップ部と、キャップ部に設けた筒状のノズル部と、ノズル部に設けた緩衝部とで構成し、
ノズル部の周面に、正面視して略涙形の透孔と、透孔の周辺に孔側に向かって低く傾斜した裾部を形成するとともに、透孔及び／又は裾部の一部を緩衝部に設け、また透孔の少なくとも一方側に収斂形状の液体の垂れ部を設けた頭髪用化粧液体容器のキャップである。
【００１５】
従って、請求項1は、確実な染毛又は洗髪等の処理が図れること、この際に染毛液、又はシャンプー液等の容易かつ確実な注出が図れること、又は地肌及び／又は頭髪に傷をつけることなく、簡便に染毛等の処理ができること、或いは地肌及び／又は頭髪に染毛液、又はシャンプー液等の液体の付着の程度を少なくできること、さらには地肌及び／又は髪をスムーズに分け、染毛等の処理を確実かつ簡易にできること等の特徴がある。また本発明は、液体の垂れ（液垂れ）の解消と、液のスムーズな流れを確保して、前述した各効果が達成できること等の実益がある。
【００１６】
請求項2の発明は、請求項1に記載した略涙形の透孔は、緩衝部側を正面視して収歛形状に、またキャップ側を正面視して略環状形状に形成し、また前記裾部は、正面視して略砲弾形状に形成するとともに、この略砲弾形状の裾部は、緩衝部側を正面視して収歛形状に、またキャップ側を正面視して略直線形状に形成した頭髪用化粧液体容器のキャップである。
【００１７】
従って、請求項2は、請求項1の目的を達成できること、又は液垂れを略完全に解消し、かつ液の極めてスムーズな流れを確保して、前述した請求項1に記載の各効果を達成できること等の特徴がある。
【００１８】
請求項3の発明は、請求項1に記載した緩衝部を、球体に形成した頭髪用化粧液体容器のキャップである。
【００１９】
従って、請求項3は、請求項1の目的を達成できること、又は地肌に傷をつけることなく、極めて簡便に染毛等の処理ができること、或いは地肌に染毛液、又はシャンプー液等の液体の付着を略無くし得ること、さらには髪を極めてスムーズに分け、染毛等の処理を確実かつ簡易に行えること等の特徴がある。
【発明を実施するための最良の形態】
【００２０】
以下、本発明の実施の態様（形態）を説明する。
【００２１】
1は頭髪用化粧液体容器Aのキャップであり、このキャップ1は容器Aの口部A1に被嵌（螺合、圧嵌、冠着、差込み、一体化等を含む）されるキャップ部2と、キャップ部2に設けた筒状（テーパー、筒体、逆テーパー、又はこれらの長手方向中心部の搾込み各形態等の形状を含む）のノズル部3と、ノズル部3に設けた緩衝部4とで構成されている。このキャップ部2、ノズル部3、又は緩衝部4の形状は一例である。またこのキャップ1は可撓性とするが、硬質性の場合もあり得る。
【００２２】
そして、このノズル部3の周面3aに、正面視して略涙形の透孔300と、透孔300の周辺に孔側に向かって低く傾斜した正面視して裾部301を形成する。この透孔300及び／又は裾部301の一部を緩衝部4に設け、また透孔300の少なくとも一方側に収斂形状の液体の垂れ部300a（流れ部）及び／又は収斂形状の液体の流れ用（垂れ用）の裾部301を設けたことで、例えば、液体を地肌及び／又は頭髪等（薬液用として、人体用の場合と、動物用の液体・薬液等の場合もあり得る）に確実に供給できること、また液体の流れが確保できること等の特徴がある。さらにこの透孔300及び／又は裾部301は、図2の如く、周面3a側において、側面視して略半月状に抉ったように構成することで、前述のように液体の供給と、その流れ等が確保できる。尚、裾部301は、液体の拡散と、緩衝部4への液体の供給と、その流れ等が確保できる。
【００２３】
また前記緩衝部4を球体形状とした場合には、ノズル部3及び／又は緩衝部4の地肌、髪等への接触の緩和が図れること、又は緩衝部4の球面及び／又はノズル部3のテーパーに沿った液体の供給と、その流れ等が確保できること、また液体の球面に沿った拡散が確保できること等の利点がある。勿論、ノズル形状でも可能である。そして、この緩衝部4は、ノズル部3の収歛部に対して、僅かに大きく構成すれば、前述の効果と、形状の安定性及び／又は美観等に役立て得ること等の特徴がある。
【図面の簡単な説明】
【００２４】
【図１】キャップの正面図
【図２】図１の側面図
【図３】キャップを容器の口部に被嵌した状態の縮尺正面図
【図４】容器にキャップを被嵌した後において染毛作業している状態の模式図
【図５】図4の要部の拡大斜視図
【符号の説明】
【００２５】
１             キャップ
２             キャップ部
３             ノズル部
３ａ           周面
３００         透孔
３００ａ       垂れ部
３０１         裾部
４             緩衝部
Ａ             容器
Ａ１           口部
【図１】
2005168641.tif 000003
【図２】
2005168641.tif 000004
【図３】
2005168641.tif 000005
【図４】
2005168641.tif 000006
【図５】
2005168641.tif 000007